(57)【特許請求の範囲】
【請求項１】
端末本体とＮＦＣアンテナとを含み、
前記端末本体は、背面縦方向中心線と背面横方向中心線とが限定された背面を有し、
前記ＮＦＣアンテナは、前記端末本体の背面に設けられ、前記背面縦方向中心線と前記背面横方向中心線とのうち少なくとも一つが前記ＮＦＣアンテナを通過し、且つ前記ＮＦＣアンテナは前記背面縦方向中心線と前記背面横方向中心線のうち少なくとも一つに対して非対称的に設けられ、
前記ＮＦＣアンテナは、回路基板とコイルとを含み、
前記コイルは、前記回路基板に設けられ、前記背面縦方向中心線と前記背面横方向中心線のうち少なくとも一つが前記コイルを通過し、且つ前記コイルは前記背面縦方向中心線と前記背面横方向中心線のうち少なくとも一つに対して非対称的に設けられ、
前記コイルは四角リング状であり、且つコイル縦方向中心線が限定され、前記コイル縦方向中心線が前記背面縦方向中心線から外れ、
前記コイル縦方向中心線と前記背面縦方向中心線との間の距離の、前記コイルのリング幅に対する比は１／２である、
ことを特徴とする移動端末。
【請求項２】
前記コイルは四角リング状であり、且つコイル横方向中心線が限定され、前記コイル横方向中心線が前記背面横方向中心線から外れている、
ことを特徴とする請求項１に記載の移動端末。
【請求項３】
前記コイル横方向中心線と前記背面横方向中心線との間の距離の、前記コイルのリング幅に対する比は１／２である、
ことを特徴とする請求項２に記載の移動端末。
【請求項４】
前記コイルにそのコーナーに近接する凹部が設けられる、
ことを特徴とする請求項１に記載の移動端末。
【請求項５】
前記凹部は長方形であり、且つ前記凹部の幅は前記コイルのリング幅に等しい、
ことを特徴とする請求項４に記載の移動端末。
【請求項６】
前記凹部は前記コイルとして巻き付けられた導線の端部を避けている、
ことを特徴とする請求項４又は５に記載の移動端末。
【請求項７】
前記凹部は二つであり、二つの前記凹部はそれぞれ前記コイルの二つの対向するコーナーに近接する、
ことを特徴とする請求項４乃至６のいずれか一項に記載の移動端末。
【請求項８】
前記回路基板には基板縦方向中心線が限定され、前記基板縦方向中心線は前記背面縦方向中心線と重なる、
ことを特徴とする請求項１乃至７のいずれか一項に記載の移動端末。
【請求項９】
前記回路基板には基板横方向中心線が限定され、前記基板横方向中心線は前記背面横方向中心線と重なる、
ことを特徴とする請求項１乃至８のいずれか一項に記載の移動端末。
【請求項１０】
基板縦方向中心線と基板横方向中心線とが限定された回路基板と、
前記回路基板に設けられ、前記基板縦方向中心線と基板横方向中心線のうち少なくとも一つが通過され、前記基板縦方向中心線と基板横方向中心線のうち前記少なくとも一つに対して非対称的に設けられたコイルと、
を含み、
前記コイルは四角リング状であり、且つコイル縦方向中心線が限定され、前記コイル縦方向中心線が前記背面縦方向中心線から外れ、
前記コイル縦方向中心線と前記背面縦方向中心線との間の距離の、前記コイルのリング幅に対する比は１／２であることを特徴とするＮＦＣアンテナ。
【発明の詳細な説明】
【技術分野】
【０００１】
本発明は、通信分野に関し、特に移動端末及びＮＦＣアンテナに関する。
【背景技術】
【０００２】
関連技術におけるＮＦＣ（近距離無線通信）アンテナは、回路基板と平面コイルとからなるのが一般である。ＮＦＣアンテナ付きの二つの移動端末がＰ２Ｐ（対等なネットワーク）操作をする場合、二つのＮＦＣアンテナは互いに干渉し、共振周波数オフセットが大きくなり、通信の感度と成功率に影響を与え、改善の必要がある。
【発明の概要】
【発明が解決しようとする課題】
【０００３】
本発明は、本発明者が以下の事実と課題に対する発見に基づいてなされたものである。
【０００４】
本発明者は、大量の実験を行い、且つ実験結果について分析した結果、二つのＮＦＣアンテナ同士の相互の影響は両方の対向面積が小さくなるにつれて小さくなり、且つ二つのＮＦＣアンテナの対向面積が次第に小さくなる初期段階において、共振周波数オフセットの減少量は非常に著しく、二つの対向面積が次第に大きくなると、共振周波数オフセットの減少量は幅が緩やかになる。最後に、二つのＮＦＣアンテナが完全にずれると、共振値は既に安定になる。関連技術におけるＮＦＣアンテナは、対称構造であるため、二つの移動端末が背中合わせに配置される場合、二つのＮＦＣアンテナがちょうどよく重なり、この時、二つの端末はＰＥＥＲ  ＴＯ  ＰＥＥＲ操作が完了する時、二つのＮＦＣアンテナ同士の間の相互の干渉が大きすぎ、通信の感度を低下させる。
【０００５】
そのため、本発明は、Ｐ２Ｐ操作をする時の共振周波数オフセットが小さく、通信感度が高く、通信成功率が高く、通信能力が強い等の利点がある移動端末を提供する。
【課題を解決するための手段】
【０００６】
本発明の実施例による移動端末は、端末本体とＮＦＣアンテナとを含み、前記端末本体は、背面縦方向中心線と背面横方向中心線とが限定された背面を有し、前記ＮＦＣアンテナは、前記端末本体の背面に設けられ、前記移動端末の背面縦方向中心線と背面横方向中心線とのうち少なくとも一つが前記ＮＦＣアンテナを通過し、且つ前記ＮＦＣアンテナは前記背面縦方向中心線と背面横方向中心線のうち前記少なくとも一つに対して非対称的に設けられる。
【０００７】
本発明の実施例による移動端末は、前記端末本体の背面縦方向中心線と背面横方向中心線のうち少なくとも一つに対してＮＦＣアンテナを非対称的に設け、且つ、前記端末本体の背面縦方向中心線と背面横方向中心線のうち前記少なくとも一つがＮＦＣアンテナを通過することにより、二つの移動端末が背中合わせにＰ２Ｐ操作をするとき、二つのＮＦＣアンテナの一部は対向するが他の一部はずれる。これにより、二つのＮＦＣアンテナの対向する部分は信号の送信や受信を保証し、二つのＮＦＣアンテナのずれた部分は二つのＮＦＣアンテナ同士の間の相互の干渉を低下させ、共振周波数オフセットを減少させ、ＮＦＣアンテナの操作頻度が帯域幅の範囲内にあることを保証することにより、通信の感度と成功率を保証する。
【０００８】
従って、本発明の実施例による移動端末がＰ２Ｐ操作をするときの共振周波数オフセットは小さく、通信感度が高く、通信成功率が高く、通信能力が強い等の利点がある。
【０００９】
一部の実施例において、前記ＮＦＣアンテナは、回路基板とコイルとを含み、前記コイルは、前記回路基板に設けられ、前記端末本体の背面縦方向中心線と背面横方向中心線のうち少なくとも一つが前記コイルを通過し、且つ前記コイルは前記背面縦方向中心線と背面横方向中心線のうち前記少なくとも一つに対して非対称的に設けられる。
【００１０】
一部の実施例において、前記コイルは四角リング状であり、且つコイル縦方向中心線が限定され、前記コイル縦方向中心線が前記背面縦方向中心線から外れている。
【００１１】
一部の実施例において、前記コイル縦方向中心線と前記背面縦方向中心線との間の距離の、前記コイルのリング幅に対する比は１／２である。
【００１２】
一部の実施例において、前記コイルは四角リング状であり、且つコイル横方向中心線が限定され、前記コイル横方向中心線が前記背面横方向中心線から外れている。
【００１３】
一部の実施例において、前記コイル横方向中心線と前記背面横方向中心線との間の距離の、前記コイルのリング幅に対する比は１／２である。
【００１４】
一部の実施例において、前記コイルは四角リング状、三角リング状又は丸いリング状である。
【００１５】
一部の実施例において、前記コイルは四角リング状であり、前記コイルにそのコーナーに近接する凹部が設けられる。
【００１６】
一部の実施例において、前記凹部は長方形であり、且つ前記長方形の凹部の幅は前記コイルのリング幅に等しい。
【００１７】
一部の実施例において、前記凹部は前記コイルとして巻き付けられた導線の端部を避けている。
【００１８】
一部の実施例において、前記凹部は二つであり、二つの前記凹部はそれぞれ前記コイルの二つの対向するコーナーに近接する。
【００１９】
一部の実施例において、前記回路基板には基板縦方向中心線が限定され、前記基板縦方向中心線は前記背面縦方向中心線と重なる。
【００２０】
一部の実施例において、前記回路基板には基板横方向中心線が限定され、前記基板横方向中心線は前記背面横方向中心線と重なる。
【００２１】
更に、本発明は、ＮＦＣアンテナを提供する。前記ＮＦＣアンテナは、回路基板とコイルとを含み、前記回路基板は、基板縦方向中心線と基板横方向中心線とが限定され、前記コイルは、前記回路基板に設けられ、前記基板縦方向中心線と基板横方向中心線のうち少なくとも一つが前記コイルを通過し、且つ前記コイルは前記基板縦方向中心線と基板横方向中心線のうち前記少なくとも一つに対して非対称的に設けられる。
【００２２】
本発明の実施例のＮＦＣアンテナによると、基板縦方向中心線と基板横方向中心線のうち少なくとも一つに対してコイルを非対称的に設け、且つ基板縦方向中心線と基板横方向中心線とのうち少なくとも一つが前記コイルを通過し、二つのＮＦＣアンテナがＰ２Ｐ操作をする時、二つのコイルの一部は対向するが、他の一部はずれる。これにより、二つのコイルの間の対向する部分は信号の送信と受信を保証するが、二つのコイルの間のずれた部分は二つのＮＦＣアンテナ同士の間の相互の干渉を低下させ、共振周波数オフセットを減少することができ、ＮＦＣアンテナの操作頻度が帯域幅の範囲内にあることを保証することにより、通信の感度と成功率を保証する。
【発明の効果】
【００２３】
従って、本発明の実施例のＮＦＣアンテナは、Ｐ２Ｐ操作をする時の共振周波数オフセットが小さく、通信感度が高く、通信成功率が高く、通信能力が強い等の利点がある。
【図面の簡単な説明】
【００２４】
【図１】図１は、本発明の実施例によるＮＦＣアンテナを有する移動端末の模式図である。
【図２】図２は、二つの図１に示すＮＦＣアンテナがＰ２Ｐ操作をする時に互いに対向する模式図である。
【図３】図３は、本発明の選択可能な第一実施例による移動端末のＮＦＣアンテナの模式図である。
【図４】図４は、二つの図３に示すＮＦＣアンテナがＰ２Ｐ操作をする時に互いに対向する模式図である。
【図５】図５は、本発明の選択可能な第二実施例による移動端末のＮＦＣアンテナの模式図である。
【図６】図６は、二つの図５に示すＮＦＣアンテナがＰ２Ｐ操作をする時に互いに対向する模式図である。
【図７】図７は、本発明の選択可能な第三実施例による移動端末のＮＦＣアンテナの模式図である。
【図８】図８は、二つの図７に示すＮＦＣアンテナがＰ２Ｐ操作をする時に互いに対向する模式図である。
【図９】図９は、本発明の選択可能な第四実施例による移動端末のＮＦＣアンテナの模式図である。
【図１０】図１０は、二つの図９に示すＮＦＣアンテナがＰ２Ｐ操作をする時に互いに対向する模式図である。
【図１１】図１１は、本発明の選択可能な第五実施例による移動端末のＮＦＣアンテナの模式図である。
【図１２】図１２は、二つの図１１に示すＮＦＣアンテナがＰ２Ｐ操作をする時に互いに対向する模式図である。
【発明を実施するための形態】
【００２５】
以下に、本発明の実施形態を詳細に説明する。前記実施形態の例が図面に示されるが、同一又は類似する符号は、常に、相同又は類似の部品、或いは、相同又は類似の機能を有する部品を表す。以下に、図面を参照しながら説明される実施形態は例示的なものであり、本発明を解釈するために用いられ、本発明を限定するものと理解されてはならない。
【００２６】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」などの用語が示す方位又は位置関係は、図面に示す方位又は位置関係に基づき、本発明を便利に又は簡単に説明するために使用されるものであり、指定された装置又は部品が特定の方位にあり、特定の方位において構造され操作されることと指示又は暗示するものではないので、本発明に対する限定と理解してはいけない。
【００２７】
なお、「第一」、「第二」の用語は目的を説明するためだけに用いられるものであり、比較的な重要性を指示又は暗示するか、或いは示された技術的特徴の数を黙示的に指示すると理解してはいけない。そこで、「第一」、「第二」が限定されている特徴は一つ又はより多くの前記特徴を含むことを明示又は暗示するものである。本発明の説明において、明確且つ具体的な限定がない限り、「複数」とは、二つ又は二つ以上のことを意味する。
【００２８】
なお、本発明の説明において、明確な規定と限定がない限り、「取り付け」、「互いに接続」、「接続」、「固定」の用語の意味は広く理解されるべきである。例えば、固定接続や、着脱可能な接続や、あるいは一体的な接続でも可能である。機械的な接続や、電気的な接続や、あるいは互いに通信することも可能である。直接的に接続することや、中間媒体を介して間接的に接続することや、二つの部品の内部が連通することや、あるいは二つの部品の間に相互の作用関係があることも可能である。当業者にとって、具体的な場合によって上記用語の本発明においての具体的な意味を理解することができる。
【００２９】
本発明において、明確な規定と限定がない限り、第一特徴が第二特徴の「上」又は「下」にあることは、第一特徴と第二特徴とが直接的に接触することを含んでもよいし、第一特徴と第二特徴とが直接的に接触することではなくそれらの間の別の特徴を介して接触することを含んでもよい。また、第一特徴が第二特徴の「上」、「上方」又は「上面」にあることは、第一特徴が第二特徴の真上及び斜め上にあることを含むか、或いは、単に第一特徴の水平高さが第二特徴より高いことだけを表す。第一特徴が第二特徴の「下」、「下方」又は「下面」にあることは、第一特徴が第二特徴の真上及び斜め上にあることを含むか、或いは、単に第一特徴の水平高さが第二特徴より低いことだけを表す。
【００３０】
本発明の発明者の発見によると、ＮＦＣアンテナ付きの二つの移動端末がＰ２Ｐ操作をする時、二つのＮＦＣアンテナの対向面積の大きさは通信の感度と成功率に著しく影響を与える。二つのＮＦＣアンテナ同士の相互の影響は両方の対向面積が小さくになるにつれて減少する。関連技術におけるＮＦＣアンテナは対称構造を採用し、二つの移動端末が背中合わせに配置される場合、二つのＮＦＣアンテナが互いに重なり合い、二つのＮＦＣアンテナ同士の間の相互の干渉が大きく、通信感度を低下させる。
【００３１】
以下に、図１〜図１２を参照しながら本発明の実施例による移動端末を説明する。
【００３２】
図１に示すように、本発明の実施例の移動端末１０００は、端末本体１００とＮＦＣアンテナ１とを含む。
【００３３】
具体的には、端末本体１００は背面２００を有し、前記背面２００は背面縦方向中心線Ｐ１と背面横方向中心線Ｐ２が限定される。ＮＦＣアンテナ１は前記端末本体の背面２００に設けられ、前記端末本体の背面縦方向中心線Ｐ１がＮＦＣアンテナを通過し、即ち、ＮＦＣアンテナ１が前記端末本体の背面２００における投影は前記端末本体１００の背面縦方向中心線Ｐ１を跨ぐ。ＮＦＣアンテナ１の、前記端末本体１００の背面縦方向中心線Ｐ１の両側に位置する部分は非対称である。言い換えると、ＮＦＣアンテナ１の一部は前記端末本体１００の背面縦方向中心線Ｐ１の左側に位置するが、ＮＦＣアンテナ１のもう一部は前記端末本体１００の背面縦方向中心線Ｐ１の右側に位置する（左右方向は図１〜図１２における矢印Ｂに示す）。また、ＮＦＣアンテナ１の、前記端末本体１００の背面縦方向中心線Ｐ１の左側に位置する部分と、ＮＦＣアンテナ１の、前記端末本体１００の背面縦方向中心線Ｐ１の右側に位置する部分とは、前記端末本体１００の背面縦方向中心線Ｐ１に対して非対称であり、即ち、ＮＦＣアンテナ１は前記端末本体１００の背面縦方向中心線Ｐ１に対して非対称的に設けられる。その中、前記端末本体１００の背面縦方向中心線Ｐ１とは、上下方向に沿って指向し且つ左右方向において前記端末本体１００の背面２００の中心の所に位置する仮想線を指す（上下方向は図１〜図１２における矢印Ａに示す）。
【００３４】
本発明の説明において、以下のことを理解すべきである。本発明の実施例による移動端末１０００において、前記端末本体１００の背面横方向中心線Ｐ２もＮＦＣアンテナ１を通過することができ、且つＮＦＣアンテナ１は前記端末本体１００の背面横方向中心線Ｐ２に対して非対称的に設けられる。この時、二つの前記移動端末１０００がＰ２Ｐ操作をする時、二つの前記移動端末を背中合わせに配置させる必要がある。その中、前記端末本体１００の背面横方向中心線Ｐ２とは、左右方向に沿って指向し且つ上下方向において前記端末本体の背面の中心の所に位置する仮想線を指す（左右方向は図１〜図１２における矢印Ｂに示す）。
【００３５】
本発明は、ＮＦＣアンテナ１が同時に前記端末本体１００の背面縦方向中心線Ｐ１と背面横方向中心線Ｐ２に通過され、且つＮＦＣアンテナ１が前記背面縦方向中心線Ｐ１と背面横方向中心線Ｐ２のいずれに対しても非対称的に設けられることにより、発明の目的を実現する。
【００３６】
本発明の実施例による移動端末１０００は、前記端末本体１００の背面縦方向中心線Ｐ１と背面横方向中心線Ｐ２のうち少なくとも一つに対してＮＦＣアンテナ１を非対称的に設け、且つ前記背面縦方向中心線Ｐ１と背面横方向中心線Ｐ２のうち少なくとも一つがＮＦＣアンテナ１を通過することにより、二つの前記移動端末が背中合わせにＰ２Ｐ操作をする時、二つのＮＦＣアンテナ１の一部は対向するが、もう一部はずれる。これにより、二つのＮＦＣアンテナ１の対向する部分は信号の送信と受信を保証し、二つのＮＦＣアンテナ１のずれた部分は前記二つのＮＦＣアンテナ１同士の間の相互の干渉を低下させ、共振周波数オフセットを減少させ、ＮＦＣアンテナ１の操作頻度が帯域幅の範囲内にあることを保証することにより、通信の感度と成功率を保証する。
【００３７】
従って、本発明の実施例による移動端末は、Ｐ２Ｐ操作をする時の共振周波数オフセットが小さく、通信感度が高く、通信成功率が高く、通信能力が強い等の利点がある。
【００３８】
具体的には、本発明の一つの実施例において、前記移動端末１０００は携帯電話である。
【００３９】
以下に、ＮＦＣアンテナ１が前記端末本体１００の背面縦方向中心線Ｐ１に対して非対称的に設けられることを例として、本発明の具体的な実施例による移動端末１０００を説明する。
【００４０】
本発明の一部の実施例において、図１〜図１２に示すように、ＮＦＣアンテナ１は回路基板１０とコイル２０とを含む。回路基板１０は既に当業者に公知され、絶縁材料で構成されるものである。コイル２０は回路基板１０に設けられ、前記端末本体の背面縦方向中心線Ｐ１はコイル２０を通過し、コイル２０の、前記背面縦方向中心線Ｐ１の両側に位置する部分が非対称である。つまり、回路基板１０は前記端末本体１００の背面縦方向中心線Ｐ１に対して対称であってもよく、前記端末本体１００の背面縦方向中心線Ｐ１に対して非対称であってもよく、コイル２０が前記端末本体１００の背面縦方向中心線Ｐ１に対して非対称にすればよい。
【００４１】
理解されるのは、コイル２０は四角リング状、三角リング状又は丸いリング状等の任意な形状であってもよいことである。説明のために、以下に、四角リング状のコイル２０を例として本発明の具体的な実施例によるＮＦＣアンテナ１を説明する。
【００４２】
本発明の一部の実施例において、図１と図２に示すように、コイル２０は自体のコイル縦方向中心線Ｌに対して対称になってもよく、且つコイル縦方向中心線Ｌが前記端末本体１００の背面縦方向中心線Ｐ１から外れる。二つの前記移動端末１０００がＰ２Ｐ操作をする時、一方のＮＦＣアンテナ１のコイル２０と他方のＮＦＣアンテナ１のコイル２０’の一部とは対向するが、もう一部はずれているので、近距離無線通信を実現するとともに、二つのＮＦＣアンテナ１同士の間の相互の干渉を減少させる。
【００４３】
ＮＦＣアンテナ１の対称面積が大きければ大きいほど、信号の受信能力も強くなるが、ＮＦＣアンテナ１の対称面積が小さければ小さいほど、共振周波数オフセットは小さくなるので、両方のバランスを取るために、ＮＦＣアンテナ１の非対称的な部分の割合を限定する。
【００４４】
図１に示すように、コイル縦方向中心線Ｌと前記端末本体１００の背面縦方向中心線Ｐ１との間の距離の、コイル２０のリング幅に対する比は１／２である。その中、コイル２０のリング幅とは、（コイル２０の一巻き毎の導線の幅×巻き数）＋［隣接する２巻きの導線の間の距離×（巻き数−１）］である。つまり、ＮＦＣアンテナ１を前記端末本体１００の背面縦方向中心線Ｐ１で折ると、コイル２０の左側縁と右側縁との間の距離はコイル２０のリング幅に等しい。即ち、図１にＸで示した距離はコイル２０のリング幅に等しい。
【００４５】
これにより、磁界能量の送信と発信能力を増加するように、最大限でＮＦＣアンテナ１の有効作業面積を保留することができるだけではなく、ＮＦＣアンテナ１がＰ２Ｐ操作をする時の相互の干渉を減少することにより、共振周波数オフセットを低下させ、作業頻度が帯域幅の範囲内にあることを保証することもできる。最大限に通信成功率を向上させると同時に、ＮＦＣアンテナ１が最大限の距離範囲内で無線通信を実現する。
【００４６】
本発明の実施例において、図１に示すように、５０×４０ｍｍのサイズのＮＦＣアンテナ１を例として、当該ＮＦＣアンテナ１のコイル２０のリング幅は８ｍｍである。Ｘの値がゼロである場合、二つの前記移動端末の作業モードをＰ２Ｐ通信モードに設置し、二つの前記移動端末が通常の操作方式で、背中合わせで完全に重なり、両方の通信が完了したことを成功とし、通信が完了できなかったことを失敗とすると、１０回テストした結果、通信が完了した成功率は３０％である。二つの前記移動端末の相対距離を拡大させ、テストにより両方が通信できる最大距離は３０ｍｍであることが分かった。Ｘ値をゼロから次第に大きくすると、周波数オフセットが次第に低下し、通信距離が次第に小さくなる。Ｘ値を８±３ｍｍまでに増加する場合、二つの前記移動端末の作業モードをＰ２Ｐ通信モードに設置し、二つの前記移動端末が通常の操作方式で、背中合わせで完全に重なり、１０回テストした結果、通信が完了した成功率は１００％である。二つの前記移動端末の相対距離を更に拡大させ、テストにより両方が通信できる最大距離は２５ｍｍであることが分かった。Ｘ値が引き続き増加する場合、成功率が次第に小さくなり、最大通信距離も次第に短くなる。これにより、最も好ましい設計点はＸ値が８±３ｍｍであることが分かった。
【００４７】
本発明の他の実施例において、図３〜図１２に示すように、コイル縦方向中心線Ｌは前記端末本体１００の背面縦方向中心線Ｐ１と重なり、コイル２０は自体のコイル縦方向中心線Ｌに対して非対称である。
【００４８】
図３と図４に示すように、コイル２０の右上の部分には、コイル２０の中心にくぼみ且つコイル２０の右上のコーナーに近接する凹部２１が設けられてもよい。凹部２１は左右方向に沿って指向する長方形であってもよく、長方形の凹部２１の長辺はコイル２０の上縁と平行し、且つ長方形の凹部２１の短辺はコイル２０の右側縁と平行してもよい。
【００４９】
言い換えると、図３に示すように、前記コイル２０の上縁は左から右へ延伸する方向において下へ向けて折り曲げる折り曲げ部が設けられ、前記折り曲げ部は前記端末本体の背面縦方向中心線Ｐ１に近接し、且つ前記端末本体１００の背面縦方向中心線Ｐ１の前に位置する。
【００５０】
凹部２１を便利に形成させるために、凹部２１がコイル２０として巻き付けられた導線の端部２２を避けるようにする。
【００５１】
好ましくは、凹部２１の幅はコイル２０のリング幅に等しい。つまり、凹部２１の上下方向における幅（即ち、図３にＹで示した距離）はコイル２０のリング幅に等しい。凹部２１の長さ（即ち、図３にＸで示した距離）はコイル２０の左右方向における長さの半分である。これにより、最大限で通信成功率を向上させると同時に、ＮＦＣアンテナ１は最大距離範囲内で無線通信を実現することができる。
【００５２】
本発明の一つの実施例において、図３に示すように、５０×４０ｍｍのサイズのアンテナを例として、当該ＮＦＣアンテナ１のコイル２０のリング幅は４ｍｍである。Ｘの値がゼロである場合、二つの前記移動端末の作業モードをＰ２Ｐ通信モードに設置し、二つの前記移動端末が通常の操作方式で、背中合わせで完全に重なる。両方の通信が完了したことを成功とし、通信が完了できなかったことを失敗とすると、１０回テストした結果、通信が完了した成功率は３０％である。二つの前記移動端末の相対距離を拡大させ、テストにより両方が通信できる最大距離は３０ｍｍであることが分かった。Ｘ値とＹ値とをゼロから次第に大きくすると、周波数オフセットが次第に低下し、通信距離が次第に小さくなる。Ｘ値を２３±３ｍｍまでに、Ｙ値を４±３ｍｍまでに増加する場合、二つの前記移動端末の作業モードをＰ２Ｐ通信モードに設け、二つの前記移動端末が通常の操作方式で、背中合わせで完全に重なる。両方の通信が完了したことを成功とし、通信が完了できなかったことを失敗とすると、１０回テストした結果、通信が完了した成功率は８０％である。二つの前記移動端末の相対距離を更に拡大させ、テストにより両方が通信できる最大距離は２５ｍｍであることが分かった。Ｘ値が引き続き増加する場合、成功率が次第に小さくなり、最大通信距離も次第に低くなる。これにより、最も好ましい設計点は、Ｘ値を２３±３ｍｍにし、Ｙ値を４±３ｍｍにすることである。
【００５３】
勿論、凹部２１はコイル２０の他の三つのコーナーに近接することもできる。
【００５４】
例えば、図５と図６に示すように、凹部２１はコイル２０の右下の部分に形成され、且つコイル２０の右下のコーナーに近接する。凹部２１は左右方向に沿って指向した長方形であってもよく、長方形の凹部２１の長辺はコイル２０の下縁と平行し、且つ長方形の凹部２１の短辺はコイル２０の右側縁と平行してもよい。凹部２１の幅（即ち、図５にＹで示した距離）はコイル２０のリング幅に等しく、凹部２１の長さ（即ち、図５にＸで示した距離）はコイル２０の左右方向における長さの半分に等しい。
【００５５】
言い換えれば、図５に示すように、前記コイル２０の下縁は左から右へ延伸する方向において上へ向けて折り曲がる折り曲げ部が設けられ、前記折り曲げ部が前記端末本体の背面縦方向中心線Ｐに近接し、且つ前記端末本体の背面縦方向中心線Ｐの前に位置する。
【００５６】
本発明のもう一つの実施例において、図７と図８に示すように、更に、凹部２１はコイル２０の左下の部分に形成され、且つ前記コイル２０の左下のコーナーに近接する。凹部２１は左右方向に沿って指向する長方形であってもよく、長方形の凹部２１の長辺がコイル２０の下縁と平行し、且つ長方形の凹部２１の短辺がコイル２０の左側縁と平行してもよい。凹部２１の幅（即ち、図７にＹで示した距離）はコイル２０のリング幅に等しく、凹部２１の長さ（即ち、図７にＸで示した距離）はコイル２０の左右方向における長さの半分に等しい。
【００５７】
言い換えれば、図７に示すように、前記コイル２０の下縁は左から右へ延伸する方向において下へ向けて折り曲がる折り曲げ部が設けられ、前記折り曲げ部が前記端末本体の背面縦方向中心線Ｐに近接し、且つ前記端末本体の背面縦方向中心線Ｐの後ろに位置する。
【００５８】
本発明の一部の実施例において、図９〜図１２に示すように、凹部２１は二つであり、二つの凹部２１はそれぞれコイル２０の二つの対向するコーナーに近接する。
【００５９】
具体的には、図９と図１０に示すように、一方の凹部２１はコイル２０の右上の部分に形成され、且つ前記コイル２０の右上のコーナーに近接する。ここの凹部２１の長辺はコイル２０の上縁と平行し、且つ凹部２１の短辺はコイル２０の右側縁と平行する。他方の凹部２１はコイル２０の左下の部分に形成され、且つ前記コイル２０の左下のコーナーに近接する。ここの凹部２１の長辺はコイル２０の下縁と平行し、且つ凹部２１の短辺はコイル２０の左側縁と平行する。二つの凹部２１の長さ（即ち、図９にＸで示した距離）は同一で且つコイル２０の左右方向における長さの半分に等しくてもよく、二つの凹部２１の幅（即ち図９にＹで示した距離）は同一で且つコイル２０のリング幅に等しくてもよい。
【００６０】
言い換えると、図９に示すように、前記コイル２０の上縁は左から右へ延伸する方向において下へ向けて折り曲がる第一折り曲げ部が設けられ、前記第一折り曲げ部は前記端末本体の背面縦方向中心線Ｐに近接し、且つ前記端末本体の背面縦方向中心線Ｐの前に位置する。前記コイル２０の下縁は左から右へ延伸する方向において下へ向けて折り曲がる第二折り曲げ部が設けられ、前記第二折り曲げ部は前記端末本体の背面縦方向中心線Ｐに近接し、且つ前記端末本体の背面縦方向中心線Ｐの後ろに位置する。
【００６１】
例を挙げてみると、図９に示すように、５０×４０ｍｍのサイズのアンテナを例として、当該ＮＦＣアンテナ１のコイル２０のリング幅は４ｍｍである。Ｘの値がゼロである場合、二つの前記移動端末の作業モードをＰ２Ｐ通信モードに設置し、二つの前記移動端末が通常の操作方式で、背中合わせで完全に重なる。両方の通信が完了したことを成功とし、通信が完了できなかったことを失敗とすると、１０回テストした結果、通信が完了した成功率は３０％である。二つの前記移動端末の相対距離を拡大させ、テストにより両方が通信できる最大距離は３０ｍｍであることが分かった。Ｘ値とＹ値とをゼロから次第に大きくすると、周波数オフセットが次第に低下し、通信距離が次第に小さくなる。Ｘ値を２３±３ｍｍまでに、Ｙ値を４±３ｍｍまでに増加する場合、二つの前記移動端末の作業モードをＰ２Ｐ通信モードに設け、二つの前記移動端末が通常の操作方式で、背中合わせで完全に重なる。両方の通信が完了したことを成功とし、通信が完了できなかったことを失敗とすると、１０回テストした結果、通信が完了した成功率は１００％である。二つの前記移動端末の相対距離を更に拡大させ、テストにより両方が通信できる最大距離は２２ｍｍであることが分かった。Ｘ値が引き続き増加する場合、成功率が次第に小さくなり、最大通信距離も次第に低くなる。これにより、最も好ましい設計点は、Ｘ値を２３±３ｍｍにし、Ｙ値を４±３ｍｍにすることである。
【００６２】
これにより、ＮＦＣアンテナ１の通信能力を保証するだけではなく、ＮＦＣアンテナ１の非対称面積が大きいので、Ｐ２Ｐ操作をする時の共振周波数オフセットを低下させることができる。
【００６３】
図１１と図１２に示すように、二つの長方形の凹部２１は上下方向に沿って指向することもできる。具体的には、一方の長方形の凹部２１はコイル２０の右上の部分に形成され、且つコイル２０の右上のコーナーに近接する。ここの長方形の凹部２１の長辺はコイル２０の右側縁と平行し、且つ凹部２１の短辺はコイル２０の上縁と平行する。他方の長方形の凹部２１はコイル２０の左下の部分に形成され、且つ前記コイル２０の左下のコーナーに近接する。ここの長方形の凹部２１の長辺はコイル２０の左側縁と平行し、且つ長方形の凹部２１の短辺はコイル２０の下縁と平行する。二つの長方形の凹部２１の長さ（即ち、図１１にＹで示した距離）は同一で且つコイル２０の上下方向における長さの半分からコイル２０のリング幅を引いた差に等しくてもよく、二つの凹部２１の幅（即ち、図１１にＸで示した距離）は、同一で且つコイル２０のリング幅に等しくてもよい。
【００６４】
言い換えると、図１１に示すように、コイル２０の右側縁は上から下へ延伸する方向において右へ向けて折り曲がる第一折り曲げ部が設けられ、コイル２０の左側縁は上から下へ延伸する方向において右へ折り曲がる第二折り曲げ部が設けられ、前記第一折り曲げ部の下表面は前記第二折り曲げ部の上表面と面一である。
【００６５】
ＮＦＣアンテナ１が前記端末本体１００の背面横方向中心線Ｐ２に対して非対称的に設置されるという具体的な実施例は、上記ＮＦＣアンテナ１が前記端末本体１００の背面縦方向中心線Ｐ１に対して非対称的に設置されるという具体的な実施例を参照することができることは、当業者にとって理解される。一方、ＮＦＣアンテナ１が同時に前記端末本体１００の背面縦方向中心線Ｐ１と背面横方向中心線Ｐ２とに対して非対称的に設置されるという具体的な実施例は、両方を組み合わせることで実現することができる。
【００６６】
本発明の実施例による移動端末の他の構成及び操作は当業者にとっては知られているため、ここでは詳細な説明を省略する。
【００６７】
以下に、図１〜図１２を参照しながら本発明の実施例によるＮＦＣアンテナ１を説明する。図１〜図１２に示すように、本発明の実施例によるＮＦＣアンテナ１は、コイル２０と回路基板１０とを含む。
【００６８】
更に、図１に示すように、回路基板１０には基板縦方向中心線Ｓ１と基板横方向中心線Ｓ２が限定され、コイル２０は回路基板１０に設けられ、基板縦方向中心線Ｓ１と基板横方向中心線Ｓ２のうち少なくとも一つがコイル２０を通過し、且つコイル２０が基板縦方向中心線Ｓ１と基板横方向中心線Ｓ２のうち前記少なくとも一つに対して非対称的に設けられる。
【００６９】
つまり、基板縦方向中心線Ｓ１がコイル２０を通過し、且つコイル２０が基板縦方向中心線Ｓ１に対して非対称的に設けられることができる。基板横方向中心線Ｓ２もコイル２０を通過し、且つコイル２０が基板横方向中心線Ｓ２に対して非対称的に設けられることができる。更に、基板縦方向中心線Ｓ１と基板横方向中心線Ｓ２とが同時にコイル２０を通過し、且つコイル２０が基板縦方向中心線Ｓ１と基板横方向中心線Ｓ２のいずれに対しても非対称的に設けられることができる。
【００７０】
図１〜図１２に示す実施例において、基板縦方向中心線Ｓ１が前記端末本体１００の背面縦方向中心線Ｐ１と重なってもよく、重ならなくてもよい。同様に、基板横方向中心線Ｓ２が前記端末本体１００の背面横方向中心線Ｐ２と重なってもよく、重ならなくてもよい。
【００７１】
本発明の実施例によるＮＦＣアンテナ１は、コイル２０が基板縦方向中心線Ｓ１と基板横方向中心線Ｓ２のうち少なくとも一つに対して非対称的に設けられ、且つ基板縦方向中心線Ｓ１と基板横方向中心線Ｓ２のうち前記少なくとも一つがコイル２０を通過することにより、二つのＮＦＣアンテナ１がＰ２Ｐ操作をする時、二つのコイル２０の一部は対向するが、他の部分はずれる。これにより、二つのコイル２０の間の対向する部分は信号の送信と受信を保証する一方、二つのコイル２０の間のずれた部分は二つのＮＦＣアンテナ１同士の間の相互の干渉を低下させ、共振周波数オフセットを減少させることができ、ＮＦＣアンテナの操作頻度が帯域幅の範囲内にあることを保証することにより、通信の感度と成功率を保証することができる。
【００７２】
従って、本発明の実施例によるＮＦＣアンテナ１は、Ｐ２Ｐ操作をする時の共振周波数オフセットが小さく、通信感度が高く、通信成功率が高く、通信能力が強い等の利点がある。
【００７３】
本発明の説明において、「一つの実施例」、「一部の実施例」、「例示的な実施形態」、「示例」、「具体的な示例」、或いは「一部の示例」などの用語を参考した説明とは、該実施形態或いは示例に結合して説明された具体的な特徴、構成、材料或いは特徴が、本発明の少なくとも一つの実施形態或いは示例に含まれることである。本明細書において、上記用語に対する例示的な描写は、必ずしも同じ実施例或いは示例を示すことではない。又、説明された具体的な特徴、構成、材料或いは特徴は、いずれか一つ或いは複数の実施形態又は示例において適切に結合することができる。なお、互いに矛盾しない場合、当業者は本明細書で描写された異なる実施例或いは示例、及び異なる実施例或いは示例の特徴を結合且つ組み合わせることができる。
【００７４】
以上、本発明の実施例を示して説明したが、上記実施例は例示的なものであり、本発明を限定するものであると理解してはいけない。当業者は、本発明の範囲内で、上記実施例に対して各種の変化、修正、切り替え及び変形を行うことができる。
【符号の説明】
【００７５】
１      ＮＦＣアンテナ
１０      回路基板
２０      一方のＮＦＣアンテナのコイル
２０’    他方のＮＦＣアンテナのコイル
２１      凹部
２２      導線の端部
１００      端末本体
２００      端末本体背面
１０００      移動端末
Ｌ      コイル２０のコイル縦方向中心線
Ｐ１      端末本体の背面縦方向中心線
Ｐ２      端末本体の背面横方向中心線
Ｓ１      基板縦方向中心線
Ｓ２      基板横方向中心線
【図１】
0006317470.tif 000002
【図２】
0006317470.tif 000003
【図３】
0006317470.tif 000004
【図４】
0006317470.tif 000005
【図５】
0006317470.tif 000006
【図６】
0006317470.tif 000007
【図７】
0006317470.tif 000008
【図８】
0006317470.tif 000009
【図９】
0006317470.tif 000010
【図１０】
0006317470.tif 000011
【図１１】
0006317470.tif 000012
【図１２】
0006317470.tif 000013